(57)【要約】【課題】読取走査体がホームポジションでない位置からホームポジションに移動して被係合部が係合部に衝突しても、読取走査体の移動が妨げられることがなく、エラー状態になったり係合部が破損したりすることのない画像読取装置を提供する。【解決手段】原稿を載置するコンタクトガラスと、原稿を照射する光源と、該光源による照射により得られた画像光を複数のミラーを介して受光し、かつ、ホームポジションからの移動を拘束するための拘束手段に設けられた拘束杭２３が係合する被係合部２２を有する読取走査体８と、を備えている画像読取装置において、読取走査体８がホームポジションでない位置からホームポジションに移動して被係合部２２が拘束杭２３に衝突した場合に読取走査体８の移動が妨げられることを防ぐために、拘束杭２３が回動可能にされている。【選択図】図８
2009159338.tif 000002
【特許請求の範囲】
【請求項１】
原稿を載置するコンタクトガラスと、
原稿を照射する光源と、
該光源による照射により得られた画像光を複数のミラーを介して受光し、かつ、ホームポジションからの移動を拘束するための拘束手段に設けられた係合部が係合する被係合部を有する読取走査体と、
を備えている画像読取装置において、
読取走査体がホームポジションでない位置からホームポジションに移動して前記被係合部が前記係合部に衝突した場合に読取走査体の移動が妨げられることを防ぐために、前記係合部が回動可能にされている
ことを特徴とする画像読取装置。
【請求項２】
請求項１に記載の画像読取装置において、
前記係合部には、突起部が設けられ、
前記拘束手段は、さらに前記係合部を上下方向にガイドするガイド部材を有し、
該ガイド部材には、前記係合部の突起部を上下方向にガイドするスリットと、前記係合部を前記突起部を中心に回動可能にさせるための切欠部とが形成されている
ことを特徴とする画像読取装置。
【請求項３】
請求項１に記載の画像読取装置において、
前記拘束手段の係合部には、スリットが形成され、
前記拘束手段は、さらに前記係合部を上下方向にガイドするガイド部材を有し、
該ガイド部材には、前記係合部を前記スリットに沿って上下方向に移動させるための突起部と、前記係合部を前記突起部を中心に回動可能にさせるための切欠部とが形成されている
ことを特徴とする画像読取装置。
【請求項４】
請求項１に記載の画像読取装置において、
前記拘束手段の係合部には、突起部が設けられ、
前記拘束手段は、さらに前記係合部を上下方向にガイドする一対のガイド部材を有し、
該ガイド部材には、前記係合部の突起部を上下方向にガイドするスリットが形成され、
前記係合部は、前記突起部を中心に、前記一対のガイド部材間を回動可能にされている
ことを特徴とする画像読取装置。
【請求項５】
請求項１に記載の画像読取装置において、
前記拘束手段の係合部には、スリットが形成され、
前記拘束手段は、さらに前記係合部を上下方向にガイドする一対のガイド部材を有し、
該ガイド部材には、前記係合部を前記スリットに沿って上下方向に移動させるための突起部が形成され、
前記係合部は、前記突起部を中心に、前記一対のガイド部材間を回動可能にされている
ことを特徴とする画像読取装置。
【請求項６】
請求項１ないし請求項５のいずれかに記載の画像読取装置において、
前記被係合部は、前記係合部が挿入される係合穴が形成された板状の部材であり、前記被係合部の下方には前記係合部の先端と当接し前記係合部の下降を制限する当接部が形成されている
ことを特徴とする画像読取装置。
【請求項７】
請求項１ないし請求項６のいずれかに記載の画像読取装置において、
前記係合部は、上下方向にスライド可能なレバーに形成された貫通穴に挿入されている部材である
ことを特徴とする画像読取装置。
【請求項８】
請求項１ないし請求項７のいずれかに記載の画像読取装置において、
前記突起部は、前記係合部に形成された貫通穴に挿通されるピンである
ことを特徴とする画像読取装置。
【発明の詳細な説明】
【技術分野】
【０００１】
本発明は、複写機、スキャナ、ＦＡＸなどの画像読取装置に関する。
【背景技術】
【０００２】
従来、複写機、スキャナ、ファクシミリ、あるいはこれらの複合機等の画像読取装置をトラックなどで搬送する場合、搬送時の振動などで画像読取装置内の読取走査体が動かないように固定する必要がある。この読取走査体は画像読取り終了時にホームポジションに戻され、その位置で拘束部材により移動が拘束される（例えば、特許文献１参照）。
この特許文献１に記載の画像読取装置では、装置本体に設けられた係合部が読取走査体の被係合部に係合する。例えば、図９に示すように、読取走査体１００に設けられた被係合部１０１の貫通穴に、上下方向にスライド可能な係合部１０２が挿入され、図１０に示す形態になり、読取走査体１００の移動が拘束される。
【０００３】
【特許文献１】特開平１０−００４４８４号公報
【発明の開示】
【発明が解決しようとする課題】
【０００４】
しかし、上述した従来の画像読取装置では、画像読取動作中に電源がオフにされた場合、読取走査体１００がホームポジション（図９及び図１０に示される位置）に戻っていないので、この状態で電源をオンにした場合、読取走査体１００がホームポジションに向かって移動すると、図１１に示すようにスイッチ１０３が下側に位置している場合、被係合部１０１が係合部１０２に衝突する。そして、読取走査体１００の移動が拘束されホームポジションに戻れずエラー状態になったり、又は強制的にホームポジションに戻ろうとして係合部１０２が破損したりすることになる。
【０００５】
そこで、本発明は上記問題点に鑑みてなされたものであり、その課題は、読取走査体がホームポジションでない位置からホームポジションに移動して被係合部が係合部に衝突しても、読取走査体の移動が妨げられることがなく、エラー状態になったり係合部が破損したりすることのない画像読取装置を提供することを目的としている。
【課題を解決するための手段】
【０００６】
上記課題を解決する手段である本発明の特徴を以下に挙げる。
本発明の画像読取装置は、原稿を載置するコンタクトガラスと、原稿を照射する光源と、該光源による照射により得られた画像光を複数のミラーを介して受光し、かつ、ホームポジションからの移動を拘束するための拘束手段に設けられた係合部が係合する被係合部を有する読取走査体と、を備えている画像読取装置において、読取走査体がホームポジションでない位置からホームポジションに移動して前記被係合部が前記係合部に衝突した場合に読取走査体の移動が妨げられることを防ぐために、前記係合部が回動可能にされていることを特徴とする。
【０００７】
また、本発明の画像読取装置は、さらに、前記係合部には、突起部が設けられ、前記拘束手段は、さらに前記係合部を上下方向にガイドするガイド部材を有し、該ガイド部材には、前記係合部の突起部を上下方向にガイドするスリットと、前記係合部を前記突起部を中心に回動可能にさせるための切欠部とが形成されていることを特徴とする。
また、本発明の画像読取装置は、さらに、前記拘束手段の係合部には、スリットが形成され、前記拘束手段は、さらに前記係合部を上下方向にガイドするガイド部材を有し、該ガイド部材には、前記係合部を前記スリットに沿って上下方向に移動させるための突起部と、前記係合部を前記突起部を中心に回動可能にさせるための切欠部とが形成されていることを特徴とする。
【０００８】
また、本発明の画像読取装置は、さらに、前記拘束手段の係合部には、突起部が設けられ、前記拘束手段は、さらに前記係合部を上下方向にガイドする一対のガイド部材を有し、該ガイド部材には、前記係合部の突起部を上下方向にガイドするスリットが形成され、前記係合部は、前記突起部を中心に、前記一対のガイド部材間を回動可能にされていることを特徴とする。
また、本発明の画像読取装置は、さらに、前記拘束手段の係合部には、スリットが形成され、前記拘束手段は、さらに前記係合部を上下方向にガイドする一対のガイド部材を有し、該ガイド部材には、前記係合部を前記スリットに沿って上下方向に移動させるための突起部が形成され、前記係合部は、前記突起部を中心に、前記一対のガイド部材間を回動可能にされていることを特徴とする。
【０００９】
また、本発明の画像読取装置は、さらに、前記被係合部は、前記係合部が挿入される係合穴が形成された板状の部材であり、前記被係合部の下方には前記係合部の先端と当接し前記係合部の下降を制限する当接部が形成されていることを特徴とする。
また、本発明の画像読取装置は、さらに、前記係合部は、上下方向にスライド可能なレバーに形成された貫通穴に挿入されている部材であることを特徴とする。
また、本発明の画像読取装置は、さらに、前記突起部は、前記係合部に形成された貫通穴に挿通されるピンであることを特徴とする。
【発明の効果】
【００１０】
上記解決する手段としての画像読取装置では、読取走査体がホームポジションでない位置からホームポジションに移動して被係合部が係合部に衝突しても、読取走査体の移動が妨げられることがなく、エラー状態になったり係合部が破損したりすることがない。
【発明を実施するための最良の形態】
【００１１】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【００１２】
図１は、本発明の画像読取装置の一実施形態を示している。原稿トレイ１に搭載された原稿Ｐは、呼出しコロ２にて搬出され、分離ローラ部３にて分離され、最も上に位置する原稿Ｐのみが他の原稿から分離し、搬送ローラ４に搬送される。この搬送ローラ４に搬送された原稿Ｐは、読取ガラス５に案内され、この読取ガラス５の位置にて原稿Ｐの情報が読取られる。その後、原稿Ｐは、排紙ローラ６によって排紙トレイ７上に排出される。
ここで、読取ガラス５上の原稿Ｐの読取方法について説明する。原稿Ｐの読取りは読取走査体８によって行われる。読取走査体８では、光源９からの照明光が原稿Ｐで反射して画像光となり、この画像光が第１ミラー１０、第２ミラー１１、第３ミラー１２、第４ミラー１３及びレンズ１４を介して画像処理基板１５に設けられたＣＣＤやＣＭＯＳなどの撮像素子１６に入射する。この入射光はレンズ１４によって集束され、撮像素子面で結像する。
このように原稿の読取りは、原稿Ｐが通過する読取ガラス５で行われるが、もう１つの方法として、コンタクトガラス１７上に載置された原稿Ｐの画像を、読取走査体８を走査させながら取得する方法がある。コンタクトガラス１７上には、原稿Ｐを押さえるためのシート１８が載置され、このシート１８上にスポンジ１９と排紙トレイ７とが設けられている。
【００１３】
図２は、読取走査体８がホームポジションにて拘束手段２０で固定された状態を示している。拘束手段２０は、ホームポジションからの移動を拘束するためのものである。拘束手段２０は、読取走査体８の拘束及び解除を行う上下方向にスライド可能なレバー２１と、読取走査体８の平板状の被係合部２２に形成された係合穴２２ａと嵌合する係合部である拘束杭２３と、この拘束杭２３を上下方向にガイドするガイド部材２４と、を有している。このガイド部材２４はレバー２１と一体成形してもよい。
読取走査体８がホームポジションにある場合に、拘束手段２０のレバー２１を下方に押し下げると、拘束杭２３は被係合部２２の係合穴２２ａと嵌合し、図２に示すようになる。読取走査体８は機械的に走査され位置決めが正確になされるので、読取走査体８に負荷をかけないようにレバー２１と側壁２７との間には間隙が形成されている。また、拘束杭２３の先端は先細り形状にされ、係合穴２２ａに挿入しやすくなっている。そして、拘束杭２３が深く係合穴２２ａに挿入されると、拘束杭２３の胴体部分に達し、拘束杭２３と被係合部２２とは嵌合する。この際、拘束杭２３の中心軸と係合穴２２ａとの中心には、僅かに誤差が発生するので、その誤差を吸収するために、上述したようにレバー２１と側壁２７との間には間隙が形成されている。
【００１４】
拘束杭２３は、被係合部２２より下方に被係合部２２と平行に設けられた平板状の当接部２５により、押し上げられている。当接部２５は、拘束杭２３の先端と当接し拘束杭２３の下降を制限する。この拘束杭２３は、レバー２１の貫通穴２１ａ及びレバー２１に設けられたガイド部材２４の貫通穴２４ａに嵌合している。拘束杭２３には貫通穴２３ａ（図３記載）が形成され、そこにピン２６が挿通されている。ピン２６は、ガイド部材２４のスリット２４ｂに係合し、拘束杭２３は自転不能にされている。すなわち、読取走査体８はロック状態にある。なお、ピン２６の代わりに、拘束杭に一対のテーパ状の有底穴を形成し、左右からボスを差し込むようにしてもよい。
画像読取装置本体の側壁２７には、ホームポジション検知センサ２８が設けられており、このセンサ２８は、読取走査体８の側面に設けられた被測定部２９を検知する。センサの種類としては、光センサ、磁気センサ及び静電容量センサなどが挙げられる。
【００１５】
図３は、拘束手段２０を分解して示している。ガイド部材２４には拘束杭２３を嵌合するための貫通穴２４ａが形成されている。ガイド部材２４の周壁には、拘束杭２３を上下方向にガイドするための突起部であるピン２６が挿通される一対のスリット２４ｂが形成されている。また、ガイド部材２４には、拘束杭２３をピン２６を中心に回動させるために、拘束杭２３の回動を阻止しないように、切欠部２４ｃが形成されている。
図３に示す構成部品を組み合わせると、図４に示すようになる。この状態では、拘束杭２３の自転や鉛直方向への回動が拘束され、係合部である拘束杭２３と被係合部２２とが係合し、図２に示すような拘束手段２０により読取走査体８が拘束された状態になる。
【００１６】
図５は、読取走査体８がホームポジションでない位置にある場合の形態を示している。この状態では、拘束杭２３が重力により下降しピン２６がスリット２４ｂの下端に係合している。レバー２１は側壁２７のガイド穴２７ａに沿ってスライドし下側に切り換えられた状態にある。図６は、図５の状態における拘束杭２３及びガイド部材２４の断面を示している。図６の状態から拘束杭２３が押し上げられると、図７に示すようになる。
【００１７】
図７は、読取走査体８がホームポジションでない位置からホームポジションに移動して被係合部２２が係合部である拘束杭２３に衝突した場合の形態を示している。この状態では、拘束杭２３がピン２６を中心に回動し、被係合部２２に乗り上げている。このように本実施形態では、読取走査体８がホームポジションでない位置からホームポジションに移動して被係合部２２が拘束杭２３に衝突しても、読取走査体８の移動が妨げられることがなく、エラー状態になったり係合部が破損したりすることがない。
また、図３に示したように切欠部２４ｃを形成し拘束杭２３を回動させるようにしたので、構成が簡易であり、部品点数が少なく、製造や組立が容易である。
【００１８】
上述した実施形態では、係合部である拘束杭２３に突起部であるピン２６を設け、カイド部材２４にスリット２４ｂを形成して、ピン２６とスリット２４ｂとを係合させた形態について説明したが、係合部にスリットを形成してガイド部材に突起部を設けるようにしてもよい。
また、上述した実施形態では、拘束杭２３が回動することができるように切欠部２４ｃを形成した形態について説明したが、切欠部２４ｃを形成するのではなく、一対のガイド部材間、例えば一対の断面円弧状の部材間、のスペースを用いて拘束杭２３を回動させるようにしてもよい。
【図面の簡単な説明】
【００１９】
【図１】図１は、本発明に係る画像読取装置の一実施形態を示す説明図である。
【図２】図２は、読取走査体がホームポジションにて拘束手段で拘束された状態を示す説明図である。
【図３】図３は、拘束手段を含む分解図である。
【図４】図４は、拘束手段を含む組立図である。
【図５】図５は、読取走査体がホームポジションでない位置にある場合の形態を示している。
【図６】図６は、図５のVI−VI線に沿う断面図である。
【図７】図７は、図６の杭が押し上げられた状態を示す断面図である。
【図８】図８は、図７の読取走査体がホームポジションでない位置からホームポジションに移動して被係合部が杭に衝突した場合の形態を示す説明図である。
【図９】図９は、従来の画像読取装置を示す説明図であり、ホームポジションにある読取走査体の係合部と被係合部とが係合していない状態を示している。
【図１０】図１０は、従来の画像読取装置を示す説明図であり、ホームポジションにある読取走査体の係合部と被係合部とが係合している状態を示している。
【図１１】図１１は、従来の画像読取装置を示す説明図であり、読取走査体がホームポジションに戻ろうとして被係合部が係合部に当接した状態を示している。
【符号の説明】
【００２０】
Ｐ  原稿
１  原稿トレイ
２  呼出しコロ
３  分離ローラ部
４  搬送ローラ
５  読取ガラス
６  排紙ローラ
７  排紙トレイ
８  読取走査体
９  光源
１０  第１ミラー
１１  第２ミラー
１２  第３ミラー
１３  第４ミラー
１４  レンズ
１５  画像処理基板
１６  撮像素子
１７  コンタクトガラス
１８  シート
１９  スポンジ
２０  拘束手段
２１  レバー
２１ａ  貫通穴
２２  被係合部
２２ａ  係合穴
２３  拘束杭
２３ａ  貫通穴
２４  ガイド部材
２４ａ  貫通穴
２４ｂ  スリット
２４ｃ  切欠部
２５  当接部
２６  ピン
２７  側壁
２７ａ  ガイド穴
２８  ホームポジション検知センサ
２９  被測定部
１００  読取走査体
１０１  被係合部
１０２  係合部
１０３  スイッチ
【図１】
2009159338.tif 000003
【図２】
2009159338.tif 000004
【図３】
2009159338.tif 000005
【図４】
2009159338.tif 000006
【図５】
2009159338.tif 000007
【図６】
2009159338.tif 000008
【図７】
2009159338.tif 000009
【図８】
2009159338.tif 000010
【図９】
2009159338.tif 000011
【図１０】
2009159338.tif 000012
【図１１】
2009159338.tif 000013